【手続補正書】
【提出日】平成19年9月21日(2007.9.21)
【手続補正１】
【補正対象書類名】明細書
【補正対象項目名】特許請求の範囲
【補正方法】変更
【補正の内容】
【特許請求の範囲】
【請求項１】  それぞれがソースデータによって供給され、かつ、それぞれが次数Ｍの伸張器及び濾波手段を備える、並列分岐２Ｍ（Ｍ≧２）を有する合成フィルタ（１１）のバンクによる変調ステップと、
それぞれが次数Ｍのデシメータ及び濾波手段を備え、かつ、前記ソースデータから受信される代表的なデータを送達する２Ｍ並列分岐を有する分析フィルタ（１２）のバンクによる復調ステップと、を含み、
前記濾波手段が、所定のプロトタイプ変調関数から導出され、
トランスマルチプレクサ構造を実現することを特徴とするＢＦＤＭ／ＯＭ二重直交マルチキャリヤ信号を伝送するための方法。
【請求項２】  前記合成フィルタのバンクの前記濾波手段、及び／または前記分析フィルタのバンクの前記濾波手段が、それぞれ多相行列として分類されることを特徴とする請求項１に記載の伝送方法。
【請求項３】  前記多相行列の少なくとも１つが、２Ｍの入力及び２Ｍの出力のある逆フーリエ変換（５１、６１）を備えることを特徴とする請求項２に記載の伝送方法。
【請求項４】  それぞれがソースデータによって供給され、かつ、それぞれが次数Ｍの伸張器および所定のプロトタイプ変調関数から導出される濾波手段を備える、２Ｍ（Ｍ≧２）並列分岐を有する合成フィルタ（１１）のバンクを実現することを特徴とするＢＦＤＭ／ＯＭ二重直交マルチキャリヤ信号を変調するための方法。
【請求項５】  それぞれが所定の移相を経て、２Ｍ濾波モジュールを供給し、それぞれの後に次数Ｍの伸張器が続き、その出力が分類されてから伝送される、２Ｍソースデータによって供給される逆フーリエ変換（５１）を実現することを特徴とする請求項４に記載の方法。
【請求項６】  データｓ［ｋ］を、以下のように送達し、
【数１】
2003510972.tif 000001
ここで、Ｄ＝αＭ−βであり、
αが、再構築遅延を表す整数であり、
βが、０とＭ−１の間の整数であり、
［．］が「整数部」関数である、
ことを特徴とする、請求項５に記載の変調方法。
【請求項７】  それぞれが次数Ｍの伸張器および所定のプロトタイプ変調関数から導出される濾波手段を備え、かつ、ソースデータから受信される代表的なデータを送達する、２Ｍ並列分岐を有する分析フィルタ（１２）のバンクを実現することを特徴とするＢＦＤＭ／ＯＭ二重直交マルチキャリヤ信号を復調するための方法。
【請求項８】  それら自体が前記伝送済み信号によって供給され、それぞれが濾波モジュールが後に続く次数Ｍのデシメータを備え、２Ｍ移相乗算器を供給し、前記ソースデータの概算を送達する、２Ｍ分岐により供給される逆フーリエ変換（６１）を実現することを特徴とする請求項７に記載の方法。
【請求項９】 以下
【数２】
2003510972.tif 000002
Ｄ＝２．ｓ．Ｍ＋ｄの場合に、
ｓが整数であり、
ｄが０と２Ｍ−１の間である。
となるようにデータ
【数２−１】
2003510972.tif 000003
を伝送することを特徴とする請求項６に記載の方法。
【請求項１０】  前記濾波モジュールが、
横断方向構造フィルタ
はしご構造フィルタ、及び
トレリス構造フィルタ
を備えるグループに属するフィルタの１つとして作成されることを特徴とする請求項４〜６のいずれかに記載の変調方法と、請求項７〜９のいずれかに記載の復調方法。
【請求項１１】  前記直交マルチキャリヤ信号がＯＦＤＭ／ＯＭ信号であることを特徴とする、請求項１〜１０のいずれかに記載の方法。
【請求項１２】  ＢＦＤＭ／ＯＭ信号を伝送する、及び／または受信し、請求項１から１１のいずれかに従う方法を実現するためのデバイス。
【手続補正２】
【補正対象書類名】明細書
【補正対象項目名】００１９
【補正方法】変更
【補正の内容】
【００１９】
後に明らかになるだろうそれ以外の目的だけではなく、これらの目的も、 
それぞれがソースデータを送られ、それぞれが次数Ｍの伸張器及び濾波手段を備える、２Ｍ並列分岐（Ｍ≧２）を有する合成フィルタのバンクによる変調ステップと、
それぞれが次数Ｍのデシメータ（ｄｅｃｉｍａｔｏｒ）及び濾波手段を備え、前記ソースデータから受信される代表的なデータを送達し、
前記濾波手段が所定のプロトタイプ変調関数から導出される２Ｍ並列分岐を有する分析フィルタのバンクによる復調ステップと、
を具備し、トランスマルチプレクサ構造を実現する直交ＢＦＤＭ／ＯＭマルチキャリヤ信号を伝送するための方法によって本発明に従って達成される。
【手続補正３】
【補正対象書類名】明細書
【補正対象項目名】００２１
【補正方法】変更
【補正の内容】
【００２１】
オフセット変調済みマルチキャリヤ信号の伝送を提供するこのような変調済みトランスマルチプレクサ構造が、従来の技術のトランスマルチプレクサの構造と大いに異なることが注意されるものとする。実際に、トランスマルチプレクサの既知の方式は、たとえば、Ｇ．ＳｔｒａｎｄおよびＴ．Ｎｇｕｙｅｎの教科書「ウェーブレットおよびフィルターバンク（Ｗａｖｌｅｔｓ  ａｎｄ  Ｆｉｌｔｅｒ  Ｂａｎｋｓ）」（Ｗｅｌｌｅｓｌｅｙ  Ｃａｍｂｒｉｄｇｅ  Ｐｒｅｓｓｓ，Ｗｅｌｌｅｓｌｅｙ、ＭＡ、ＵＳＡ−１９９６）に記載されているように、実現されるサブバンド数よりも少ない、または等しいデシメーション拡大係数（ｄｅｃｉｍａｔｉｏｎ−ｅｘｐａｎｓｉｏｎ  ｆａｃｔｏｒ）を有する。他方、フィルタバンクの分岐のそれぞれで実現すること、所定のプロトタイプ変調関数から導出される濾波手段から成り立つ本発明のアプローチを用いると、拡大及びデシメーション係数（ｅｘｐａｎｓｉｏｎ  ａｎｄ  ｄｅｃｉｍａｔｉｏｎ  ｆａｃｔｏｒ）より大きい、数多くのサブバンドが得られてよい。
【手続補正４】
【補正対象書類名】明細書
【補正対象項目名】００２８
【補正方法】変更
【補正の内容】
【００２８】
同様にして、本発明は、前述された伝送方法に従って伝送される信号を復調するための方法に関する。この復調方法は、有利なことに、それら自体、前記伝送済み信号に従って供給され、それぞれが、濾波モジュールが後に続く次数Ｍのデシメータ（ｄｅｃｉｍａｔｏｒ）を備え、２Ｍ移相乗算器を供給し、ソースデータの概算を送達する２Ｍ分岐によって供給される逆フーリエ変換を実現する。
【手続補正５】
【補正対象書類名】明細書
【補正対象項目名】００２９
【補正方法】変更
【補正の内容】
【００２９】
この復調方法は、このようにして、有利なことに、以下となるようにデータ
【数３−１】
2003510972.tif 000004
を伝送してよい。
【数４】
2003510972.tif 000005
【手続補正６】
【補正対象書類名】明細書
【補正対象項目名】００９０
【補正方法】変更
【補正の内容】
【００９０】
前記入力／出力関係を決定するためのこの方式の３つの主要な項目とは、伸張器、遅延及びデシメータにつながる変換（ｔｒａｎｓｆｅｒ）行列△β（ｚ）だけではなく、２つの多相行列Ｅ（ｚ）とＲ（ｚ）でもある。後者を決定するため、図４に描かれている初歩的なケースは、変換（ｔｒａｎｓｆｅｒ）関数が以下によって与えられる基礎としての役割を果たす。
【手続補正７】
【補正対象書類名】明細書
【補正対象項目名】図面の簡単な説明
【補正方法】変更
【補正の内容】
【図面の簡単な説明】
【図１】
発明に従ってＢＦＤＭ／ＯＭ変調に関連付けられるトランスマルチプレクサの一般的な構造を示す。
【図２】
簡略に、図１に描かれるようなトランスマルチプレクサを実現するチェーンの大局的な図を示す。
【図３】
図１のトランスマルチプレクサの多相形式での表現である。
【図４】
図３の多相表現の実現で使用される、伸張器とデシメータの間に設置される遅延演算子の挿入を、初歩的なケースで示す。
【図５】
逆ＦＦＴによって達成されるＢＦＤＭ／ＯＭ変調器を示す。
【図６】
逆ＦＦＴによって達成されるＢＦＤＭ／ＯＭ復調器を示す。
【図７】
後に定義される整数パラメータであるｓが偶数または奇数であるときに、図５の多相フィルタの代わりに使用されてよい、はしご構造フィルタを示す。
【図８】
後に定義される整数パラメータであるｓが偶数または奇数であるときに、図６の多相フィルタの代わりに使用されてよい、はしご構造フィルタを示す。
【図９】
対称的なプロトタイプフィルタによるＯＦＤＭ／ＯＭ信号のケースでの、図５と図６の多相フィルタ用のトレリスとしての構造を示す。
【図１０】
正規化されたケースでの、図９によるトレリスを示す。
【図１１】
図１１Ａおよび図１１Ｂは、それぞれ付録Ｄの表に対応する２つの特殊な実施形態において得られる時間応答及び周波数応答を示す。
【図１２】
図１２Ａおよび図１２Ｂは、それぞれ付録Ｄの表に対応する２つの特殊な実施形態において得られる時間応答及び周波数応答を示す。